(57)【要約】サービスセルとターゲットセルとの間の移動アシストされたハンドオフ（ＭＡＨＯ）の試行の回数をカウントする。ターゲットセルをサービスセルからのハンドオフのための最良候補（ＢｅｓｔＣａｎｄ）と見なした回数のカウントも行う。サービスセルの隣接するリスト内にターゲットセルが含まれない場合、潜在的隣接セル（ＰＮＣ）と見なす。ターゲットセルへのハンドオフを防止するために、ターゲットセルへヒステリシスを追加する。ＭＡＨＯおよびＢｅｓｔＣａｎｄカウントを決定し、このカウントが予め決定したスレッショルド値に一致するか、これを超えた場合、リストにターゲットセルを追加する。ターゲットセルが隣接セルリストにある場合、ヒステリシスは追加しない。カウントデータがスレッショルド値に一致しないか、またはこれを超えない場合、リストからターゲットセルを除く。
2005522156.tif 000002
【特許請求の範囲】
【請求項１】
隣接セルリストにセルを追加するための方法において、
潜在的な隣接セル（ＰＮＣ）を選択する工程と、
前記ＰＮＣを前記隣接セルリストに追加する工程と、
前記ＰＮＣへのハンドオフを防止する工程と、
前記ＰＮＣがアクセスのためのリクエストを受信し、このＰＮＣが前記隣接セルリストへ追加するための最良候補と見なされた回数を定めるカウントデータを検索する工程とを備えた方法。
【請求項２】
前記ＰＮＣへのハンドオフを防止する前記工程が、
前記ＰＮＣへヒステリシス値を適用し、前記ＰＮＣへの移動局のハンドオフを防止する工程を含む、請求項１記載の方法。
【請求項３】
カウントデータを検索する前記工程が、前記ＰＮＣへの移動アシストされたハンドオフの試行の回数をカウントする工程を更に備える、請求項１記載の方法。
【請求項４】
前記ＰＮＣがハンドオフのための最良候補となった回数をカウントするための工程を更に含む、請求項３記載の方法。
【請求項５】
前記カウントデータと予め決定されたスレッショルド値とを相関化する工程と、
前記最良候補カウントおよび移動アシストされたハンドオフの試行のデータがスレッショルド値の所定の組を超えた場合に、前記ＰＮＣへの移動局のハンドオフを認めるレベルへ前記ヒステリシス値を調節する工程とを更に備えた、請求項１記載の方法。
【請求項６】
前記基地局に関連した運用サポートシステム（ＯＳＳ）と、
前記カウントデータが移動アシストされたハンドオフ（ＭＡＨＯ）カウントおよび最良候補カウントを含む前記セルに関連した、カウントデータを記憶するための前記ＯＳＳに関連したデータベースと、
移動局（ＭＳ）からの前記カウントデータを受信するための受信機と、
通信システム内の前記セルの１つが前記セルのうちの前記１つと隣接セルとの間のハンドオフのための最良候補とされた回数を決定するための第１カウンタと、
前記セルのうちの前記１つと前記隣接セルとの間の移動アシストされたハンドオフの試行の回数を決定するための第２カウンタと、
前記カウントデータが予め定められたスレッショルド値と相関化していない場合に、隣接セルリストから前記セルのうちの前記１つを除くこと、および前記カウントデータが前記予め定められたスレッショルド値に一致するか、またはこれを超えた場合に、前記隣接セルリストに潜在的隣接セル（ＰＮＣ）を追加することのいずれかのための、前記ＯＳＳ内で発生される命令とを備えた、無線通信システムにおける基地局。
【請求項７】
前記ＯＳＳが第１の潜在的隣接セル（ＰＮＣ）を選択できる、請求項６記載の基地局。
【請求項８】
前記ＯＳＳが、前記ＰＮＣへのＭＳのハンドオフを防止するヒステリシス値を前記ＰＮＣに適用できる、請求項６記載の基地局。
【請求項９】
前記データベースが移動交換センター（ＭＳＣ）と通信可能に結合されており、前記ＭＳＣが前記データベース内の前記カウントデータを処理し、これを記憶できる、請求項６記載の基地局。
【請求項１０】
予め決定された時間に従い、前記データベース内に前記カウントデータを累積する、請求項６記載の基地局。
【請求項１１】
前記ＯＳＳが前記カウントデータと前記予め決定したスレッショルド値を相関化できる、請求項６記載の基地局。
【請求項１２】
前記ＯＳＳが更に前記隣接セルリストに加えるための、連続するＰＮＣを選択できる、請求項６記載の基地局。
【請求項１３】
移動局から受信されるデータを測定する工程と、
前記データを記憶し、処理する工程と、
前記隣接セルリストからセルを追加し、除去する工程とを備え、前記セルを前記隣接セルリストから除去する工程が、
ａ）サービスセルとペアとなるような隣接セルを選択する工程と、
ｂ）前記隣接セルが前記サービスセルと前記隣接セルとの間のハンドオフのための最良候補となった回数をカウントする工程と、
ｃ）前記サービスセルと前記隣接セルとの間の移動アシストされたハンドオフ（ＭＡＨＯ）試行の回数をカウントする工程と、
ｄ）前記最良候補カウントおよび前記ＭＡＨＯ試行のカウントデータを分析する工程と、
ｅ）前記カウントデータが予め定められたスレッショルド値に一致しないか、またはこれを超えない場合に、前記隣接セルリストから前記隣接セルを除去する工程とを備え、
前記隣接セルリストに潜在的な隣接セル（ＰＮＣ）を追加する工程が、
ａ１）前記隣接セルリストに対する潜在的隣接セル（ＰＮＣ）を選択する工程と、
ｂ１）前記ＰＮＣへの移動局のハンドオフの可能性を防止するヒステリシス値を、前記ＰＮＣへ適用する工程と、
ｃ１）前記ＰＮＣを前記隣接セルリストに追加する工程と、
ｄ１）前記ＰＮＣにおける移動アシストされたハンドオフの試行の回数をカウントする工程と、
ｅ１）前記ＰＮＣがハンドオフのための最良候補とされた回数をカウントする工程と、
ｆ１）前記最良工程カウントおよび前記移動アシストされたハンドオフの試行のカウントデータを分析する工程と、
ｇ１）前記最良候補カウントデータおよび前記移動アシストされたハンドオフの試行がスレッショルド値の所定の組に一致するか、またはこれを超えた場合に、前記ＰＮＣへの移動局のハンドオフを認めるレベルへ前記ヒステリシス値を調節する工程とを備えた、セルラー通信ネットワークにおける隣接セルリストを変更するための方法。
【請求項１４】
プリセットされた時間に従い、データベース内に前記最良候補カウントデータを累積する工程を更に備えた、請求項１３記載の方法。
【請求項１５】
プリセットされた時間に従い、データベース内に前記ＭＡＨＯの試行のカウントデータを累積する工程を更に備えた、請求項１４記載の方法。
【請求項１６】
前記最良候補カウントデータおよび前記ＭＡＨＯの試行のカウントデータを分析する工程が、前記カウントデータと予め決定されたスレッショルド値とを比較することを更に含む、請求項１３記載の方法。
【請求項１７】
除去のために前記隣接セルリスト内の別のセルを選択する工程を更に備え、工程ａ）〜ｆ）を繰り返す、請求項１３記載の方法。
【請求項１８】
前記隣接セルリストに別のＰＮＣを追加するために、工程ａ１）〜ｇ１）を繰り返すことを更に含む、請求項１７記載の方法。
【請求項１９】
前記隣接セルが前記セルと隣接セルとの間のハンドオフのための最良候補であるとされた回数をカウントする前記工程を、元の基地局および移動局の１つによって実行する、請求項１３記載の方法。
【請求項２０】
前記最良候補カウントデータおよび前記移動アシストされたハンドオフの試行が、スレッショルド値の予め定められた組を超えない場合に、前記ＰＮＣへの移動局のハンドオフを防止するための前記ヒステリシス値を維持する工程を更に含む、請求項１３記載の方法。
【発明の詳細な説明】
【技術分野】
【０００１】
（発明の背景）
（発明の技術分野）
本発明はデジタル無線通信システムに関し、より詳細には、本発明はデジタル無線通信システム内の隣接セルに関する。更に詳細には、本発明はデジタル無線通信システムにおける隣接セルリストを管理することに関する。
【背景技術】
【０００２】
（関連技術の説明）
セルラー移動通信システムでは、移動ハンドセットは地理的エリアに広がって位置するトランシーバ基地局（ＢＴＳ）と通信する。各ＢＴＳは指定されたカバーエリア内の離散的無線チャンネル上で一斉送信を行う。広い地理的エリアにわたってシステムが無線でカバーできるようにするセルのアレイを多数のＢＴＳサイトが発生できるようになっている。
【０００３】
通話中、移動ハンドセットのユーザーはシステム内の隣接セルの間を移動することが多い。移動ハンドセットがあるセルから隣接するセルに移動する際に、サービス中のセルの移動局コントローラ（ＢＳＣ）は隣接セルのＢＴＳへ通話セッションを一般に転送する。この通話の転送はハンドオフと称されている。
【０００４】
例えばＴＤＭＡまたはＣＤＭＡ信号送信プロトコルを利用するようなデジタルセルラー通信システムでは、通信信号を同時に搬送できる無線周波数チャンネル上で多数のＢＴＳサイトと移動ハンドセットの間の通信が実行される。これらデジタルプロトコルを使用すると、指定されたタイムスロット内へバーストまたはコード化されたバーストとして送信されるデジタル化された音声、またはデータ信号を使って一般に通信セッションが実行される。多数の通信セッションに対応するコード化されたバーストまたはタイムスロットは、それぞれのセルの無線チャンネル上に多重化され、各移動ハンドセットは、割り当てられデコードされたチャンネルで、または送受信チャンネル上の割り当てられたタイムスロットで読み出しおよび通信を行う。デジタルシステムにおけるハンドオフは一般に移動ハンドセット自体からの測定値を利用して行われる。この方法は移動アシストハンドオフ（ＭＡＨＯ）として知られるように、移動ハンドセットを使用し、隣接するＢＴＳサイトの無線信号を周期的にモニタし、測定する。
【０００５】
移動通信のためのグローバルシステム（ＧＳＭ）では、移動局は隣接するセルの絶対的無線周波数チャンネル番号（ＡＲＦＣＮ）をモニタし、隣接セルおよびサービス中のセルのための計算を行う。このＡＲＦＣＮはアイドルモードおよび専用モードにある移動局へ一斉送信された一斉送信制御チャンネル割り当て（ＢＡ）リスト内に記憶されており、ハンドセットに対するサービスを行っている無線セル（サービスセル）の隣接セルリスト（以下、隣接セルと称す）内には一般に移動ハンドセットが周期的に測定した隣接セルのリストが含まれる。このリストは複数のＢＴＳを制御する無線ネットワークコントローラ（ＲＮＣ）サイトまたは中心移動交換センター（ＭＳＣ）に保持された、サービス中のＢＴＳのサイトに保管されたデータベースに維持できる。隣接セルリスト上の隣接セルからの測定された信号とサービス中のセルからの測定された信号とを比較するために、移動局は測定の結果をサービス中のＢＴＳへ送信する。次にサービス中のＢＴＳは、適用できるＲＮＣまたはＭＳＣのいずれかへ測定値を転送する。サービス中のセル内のそのときのチャンネルの受信された信号強度がスレッショルドよりも低いか、または隣接セルの測定されたチャンネルの信号強度よりも低い場合、ＭＳＣまたはＲＮＣは隣接セルへの移動ハンドセットの通話セッションのハンドオフを開始できる。各セルはどのＢＳＣが隣接するセルを制御するかに関する情報を含む関連する隣接セルリストを含む。
【発明の開示】
【発明が解決しようとする課題】
【０００６】
セルラーネットワーク内の隣接セルのリストが大きくなる結果、ハンドオフ候補の数も大きくなる。ハンドオフ候補は隣接セルリスト内にあるので、これらリストによってハンドオフが過剰となる問題、例えば通話がドロップしたり、セルラーネットワークの全体の質が低下するという問題が生じる。周波数割り当て計画の制限を破ることなく、隣接するセルに対して利用できる周波数を識別することがより困難になるにつれて、隣接するセルのリストが過剰に大きくなることは周波数割り当て計画の問題を生じさせる。
【０００７】
セルおよび周波数を最適に使用するためのネットワークを構築する一部として、隣接セルのリストを最適にしなければならない。すなわち不要な隣接セルを識別し、除去しなければならない。他方、必要なハンドオフ隣接セルを決定し、隣接セルリストに維持したり、加えたりする必要がある。当業者に周知の現在の方法は、セル−隣接セル（ＣＥＬＬ−ＮＣＥＬＬ）のペアの間で生じるハンドオフの回数を計算するのにペグカウンタを使用する。ネットワークプランナーはこの情報を利用し、システムの変更または追加を判断する。多くのシステムでは、かかるペグ（ｐｅｇ）カウンタはメモリに集中するので、かかるペグカウンタのための設備は存在していない。例えば５００のセルを有するシステムでは４０００のＣＥＬＬ−ＮＣＥＬＬの隣接セルの関係が存在する可能性があり、各関係に対し１つのペグカウンタを設けることは、カウンタごとにメモリを有する４０００個のペグカウンタが必要となることを意味する。ペグカウンタ方法の別の欠点は、新しい隣接セルが生じる可能性を識別するのにこのペグカウンタ方法を使用できないということである。
【０００８】
従って、現在の解決案の欠点を克服するのに、セルを自動的に除いたり追加したりすることによる隣接セルリストを最適にする方法を提供することが望ましい。本発明はかかるシステムおよび方法を提供するものである。
【０００９】
（発明の概要）
本発明の１つの目的は、隣接セルリスト内のセルの数を最適にするための方法およびシステムを提供することにある。
【００１０】
本発明の別の目的は、隣接セルリストに１つのセルを追加するための方法およびシステムを提供することにある。
【課題を解決するための手段】
【００１１】
検討のために、セル−隣接セルのペアを選択することによって、セルラー通信ネットワーク内の隣接セルリストを変更できる。移動アシストされたハンドオフカウントデータを分析し、予め定めたスレッショルド値を比較する。カウントデータがこのスレッショルド未満であれば、隣接セルを隣接セルリストから除く。隣接セルリスト内のすべてのセルがスクリーニングされるまでこのプロセスを繰り返す。新しいセルが追加された場合にはプロセスを繰り返す。
【００１２】
潜在的な隣接セルにヒステリシス値を加え、次にサービスセルの隣接セルリストに潜在的な隣接セルを加えることによって、隣接セルリストに潜在的な隣接セルを追加できる。加えられるヒステリシス値は移動局が実際に潜在的な隣接セルにアクセスしなくても、正常な運用を可能にするサービスセルと潜在的な隣接セルとの間のハンドオフを防止するのに十分大きい。次に、サービスセルと潜在的な隣接セルとの間でハンドオフが行われなくても、移動アシストされたハンドオフカウントデータ（潜在的）および最良候補カウントデータ（潜在的）を収集し、分析する。データが予め定められたスレッショルド値を超えた場合、隣接セルリストのセルを加える。各潜在的隣接セルに対してこのプロセスを繰り返す。
【００１３】
当業者が本明細書と共に図面を参照すれば、本発明、その多数の目的および利点がより明らかとなろう。
【実施例】
【００１４】
次の説明では、発明を完全に理解できるように説明するために特別なアーキテクチャ、インターフェース、技術などのような特別な細部について記載するが、この説明は発明を限定するためのものではない。しかしながら、当業者であれば本発明がこれら特定の細部とは別の実施例で実施できることは明らかとなろう。他の場合、不要な細部によって本発明の説明が不明瞭にならないよう、周知のデバイス、回路および方法の詳細な説明については省略した。
【００１５】
図１は、除去のために隣接セルを検討すべき本発明の好ましい実施例を実現できる通信ネットワークのハイレベル図である。図示していないが、このネットワークには運用サポートシステム（ＯＳＳ）が含まれており、このシステムは他の機能のうちでも特に制御機能および分析機能を提供するための一組のプログラムとなっている。ＯＳＳが移動サービスセンター（ＭＳＣ）内のターゲットセルに作用（除去もしくは追加）するためのコマンドを発生する。
【００１６】
ネットワーク１００はサービスセル１０４と通信状態にある移動局（ＭＳ）１０２を含む。ネットワーク１００は隣接セル（Ｎｃｅｌｌ）Ｎ１、Ｎ２およびＮ３を含む。当業者であれば結論づけることができるように、代表的な無線ネットワーク内に４つ以上の隣接セルが存在する。図１は本発明の説明および図示を簡略にするために、３つのＮｃｅｌｌに限定されている。テーブル１１２はセルラーシステムで収集された測定値を含む。本発明は不要なセルを自動的に除去し、保証された際にセルの隣接セルリストへ必要な隣接セルを追加することにより、セルラー通信ネットワーク内の特定のセルのための隣接セルリストを最適にするものである。一般に、隣接セルリスト内の特定のセルを除去または追加する必要性を判断するのに使用するように、ＭＳＣ内にこれら測定値を記憶し、利用することが可能となっている。
【００１７】
ハイレベルブロック図１１０は個々のセルにおけるハンドオフの試行（ＭＡＨＯデータ）および隣接セルを最良候補セルとして判断した回数（ＢｅｓｔＣａｎｄデータ）に関係する統計値を収集することを示す。図１１０内の変数ｘはＭＡＨＯデータは示し、変数ｙはＢｅｓｔＣａｎｄデータを示す。各隣接セル（Ｎｃｅｌｌ（１）、Ｎｃｅｌｌ（２）、....Ｎｃｅｌｌ（ｎ））はセルｉの隣接セルリストに対し、ｘおよびｙ値を提供する（本例ではセルＡはサービスセル１０４に等しい）。
【００１８】
図１はサービスセル１０４に対し適当に接近している２つのＮｃｅｌｌ、すなわちＮ（１）およびＮ（２）を示す。サービスセル１０４の隣接セルリスト内にはＮｃｅｌｌＮ（３）も含まれる。テーブル１０６に示されるように、測定データに起因し、Ｎｃｅｌｌ  Ｎ（３）はサービスセル１０４の隣接セルリストから除去するための候補である。テーブル１０６は各Ｎｃｅｌｌに接続された最良候補（ＢｅｓｔＣａｎｄ）カウンタおよびハンドオフ（Ｈｏｆｆ）試行カウンタから検索されたデータ例をディスプレイする。ＢｅｓｔＣａｎｄデータは所定のスレッショルド以上の無線信号強度インジケータ（ＲＳＳＩ）を有するセルを識別する。換言すれば、隣接セルリスト内にセルが含まれていても、ＲＳＳＩが所定レベルよりも低ければ、このセルをＢｅｓｔＣａｎｄと見なさなくてもよい。
【００１９】
変数ｘｋ（ｋ＝１、２、３、....ｎ）は隣接セルｋがＭＡＨＯ測定値に従って最良ハンドオフ候補であった回数を表示する。セルＡに対するハンドオフの試行の総回数は次のように示される。
【００２０】
【数１】
2005522156.tif 000003
【００２１】
この場合、（実際のペグカウントを示す）通話データ情報は、比較的頻繁には収集しないようにすることができる（例えばｍ回のハンドオフごとに１回で、この場合、ｍは約１０である）。この情報はハンドオフデータと相関性がある。
【００２２】
【数２】
2005522156.tif 000004
【００２３】
次にＯＳＳは除去するためのターゲットセルを選択するためにデータ情報を使用し、その次にサービスセル１０４の隣接セルリストからターゲットセルを除去する。
【００２４】
図２は隣接セルリストから除去または制限すべきセルを識別するための、本発明の好ましい実施例における方法を示すハイレベルのフローチャートである。図２の説明と共に、図１を参照すべきである。このプロセスはステップ２０２と共に始まる。このステップは移動局１０４がセルデータをチェックしていることを示す。すなわち移動局がハンドオフできる潜在的な隣接セルに対する、サービスセルの隣接セルリストを示している。このプロセスはステップ２０４まで続き、このステップ２０４はサービスセル１０４の隣接セルリスト内のターゲットセルのＭＡＨＯの試行、およびＢｅｓｔＣａｎｄのカウントデータの相関化を示している。次のテーブル１は、ターゲットセルのステータスを判断するために試行およびカウントを比較するスレッショルド例を示している。
【００２５】
次にプロセスはデータが所定のスレッショルド値に一致するかどうかを判断するステップ２０６に進む。テーブル１ではＭＡＨＯの試行およびＢｅｓｔＣａｎｄカウントのスレッショルド値は５％となるように示されている。本明細書では０％〜５％までの基準は単なる説明上説明したにすぎない。当業者であれば、スレッショルド値を調節できることについては知っていよう。ハンドオフの試行およびＢｅｓｔＣａｎｄカウントが一貫して０〜５％の間に入る場合、ハンドオフの定義には問題がある。サービスエリアの調節に関して責任を有するＲＦエンジニアはパラメータをより精密に定めるためのスレッショルド値の定義を検討できる。すなわち隣接セルリストからセルを除去できる。
【００２６】
ハンドオフの試行および最良候補カウントの双方がゼロである場合、ハンドオフは行われない。その理由はＲＳＳＩが十分に強力ではなく、セルは決して最良の候補ではなかったからである（図１ではＮ３は決して最良候補とはなりそうにない）。
【００２７】
セルが除去スレッショルド値（５％未満）を一致するかどうかの判断を行う場合、プロセスは隣接セルリストからＮｃｅｌｌの除去を行うステップ２１０へ進む。検討することなく、隣接セルリスト内にＮｃｅｌｌが留まるようにするには最良候補カウンタおよびハンドオフの試行のカウンタがスレッショルド値に一致するか、またはそれを越えていなければならない。スレッショルド値が０％である場合、隣接セルリストからターゲットＮｃｅｌｌを除去する。カウントが０〜５％の間にある場合、ＲＦエンジニアは除去前にセルデータを検討する。
【００２８】
次に、プロセスは隣接セルリスト内の別のＮｃｅｌｌのセルデータチェックを開始するステップ２１２に進む。
【００２９】
ステップ２０６に戻り、カウントデータが０％〜５％の間にあるかどうかの判断をする場合、プロセスはステップ２０８に進む。この場合、スレッショルド値の定義を検討し、必要な場合に調節する。次にプロセスはステップ２１２に進み、ここで、隣接セルリスト内の別のセルに対してスレッショルド値をチェックする。
【００３０】
パラメータはセルサイトごとに変化できるので、ＲＦエンジニアの裁量でセルサイトごとにスレッショルド値を発生する。次のテーブルにはスレッショルドの所定の選択が示されているが、これらスレッショルドは可変であり、変えることができる。
【００３１】
【表１】
2005522156.tif 000005
【００３２】
ハンドオフのための最良候補としての隣接セルのカウントはなく、ハンドオフも生じない場合、このことは隣接セルを含む階層的セル構造が実現されることを意味する。隣接セルは好ましいマイクロセルであり得る。絶対的信号強度の見地から、セルが最良の候補となることが決してあり得なくても（好ましくない定義ｖｓ標準定義もこのことを生じさせ得る）、ハンドオフが続いて生じ得る。
【００３３】
同様に、隣接セルに対する多数のＢｅｓｔＣａｎｄカウントが生じ得るが、通話データ測定値はこの隣接セルへのハンドオフが生じなかったことを示す。このことは隣接セルが隣接セルとして好ましくないものとして分類されていることに起因して生じ得る。別の可能性のある理由は、隣接セルへのハンドオフを防止する隣接セル内での輻湊である。
【００３４】
プロセスは別個のものとして使用されているが、特別なサービスセルに関連する各セルの除去または追加のために連続的に評価するプロセスを提供するように、ＯＳＳ内で双方のプロセスを組み合わせることができる。図３は本発明の好ましい実施例に従って、隣接セルを隣接セルリストへ追加するものと見なすネットワークのハイレベル図である。従って、潜在的な隣接セル候補に対し、新しいセル−隣接セルの定義を作成できる。ネットワーク３００は移動局３０２と、サービスセル３０４の隣接セルリスト内に含まれるセル３０６および３０８、および隣接セルリストに潜在的に追加されるセル３１０を含む。表３１２はネットワーク３００内の種々のセルに対する最良候補カウントおよびハンドオフの試行を含む、移動局３０２が受信した測定値の例を示す。
【００３５】
最初に、サービスセル３０４に対する新しいハンドオフ隣接セルを判断する活動は、現在はセル３０８のための隣接セルリストの一部ではないが、過去にその一部であり得たセルをサーチすることによって開始する。潜在的な隣接セル候補であるセル３１０は、最初にセル３０４の隣接セルリストに追加される。セル３１０に対し、セル−隣接セル定義を作成する。このセル−隣接セルのペアの定義にあたり、定義内に比較的高い値のヒステリシスを加えるか、または階層的セル構造（ＨＣＳ）／好ましくない定義を含ませる。最良の候補ではなく、十分な候補をハンドオフのための好ましい選択とすることができるようにするよう、多くのセルラーシステムでＨＣＳを利用できる。セル−隣接セルの分析から所定場所のかかる特徴によるこれら隣接セルの定義を一般に排除する。セル３１０へのハンドオフを防止する値で潜在的な隣接セル３１０にヒステリシスを追加する。ヒステリシスは、隣接する基地局内の信号の質が現在サービス中の基地局よりも少なくともｘの値だけ多いとは言えない場合、ハンドオフが生じないように、信号の質の差に一般に適用される信号の質のインクリメントである。一般的な用途では、ヒステリシスは２つの隣接する基地局の間で移動局が前後に繰り返し移動するような信号の質の乱れに起因するハンドオフの繰り返しを防止する。本発明では、１つのセルへのハンドオフを防止するためにヒステリシスを使用する。セルをＨＣＳとして分類すること、またはヒステリシス値を追加することはペグカウンタ方法では不可能であることに留意されたい。
【００３６】
テーブル３１２に示されるような統計値を収集する。ＭＡＨＯ測定値を使って最良ハンドオフコードを識別する。ヒステリシス設定の値に従えば、潜在的な隣接セル、すなわちセル３１０へのハンドオフはあまりあり得ない。しかしながら、最良候補カウントは隣接セル３１０のほうが隣接セル３０６よりもハンドオフのための良好な候補であることを示している。テーブル３１２によれば、セル３１０へのハンドオフの試行回数はゼロである。追加されるヒステリシス値はセルをハンドオフのために検討することさえも防止している。同様に、現在の（サービス）セル−隣接セルペアのための統計値がサービスセルに対して得られる。
【００３７】
ハイレベルのブロック図３２０はＮｃｅｌｌ（２）からＮｃｅｌｌ（ｎ）までの隣接セルおよび潜在的隣接セルと共にターゲットセル、すなわちセルＡを示している。このグループ内の各セル−隣接セルペアに対し、最良候補およびハンドオフの試行のための統計値を得なければならない。次の式により、潜在的隣接セル３１０のための最良候補に対するカウントのパーセントを計算する。
【００３８】
【数３】
2005522156.tif 000006
【００３９】
ここで、ＢｅｓｔＣａｎｄＰＮ％はリストの総カウントと比較したときの各セルに対する最良候補カウントのパーセントを示す。本例では、総カウントに対して潜在的な隣接セル３１０を比較できる。上記式から得られた値を使ってセル３０４の隣接セルリストに潜在的隣接セルを追加するかどうかを判断する。
【００４０】
図４は本発明の好ましい実施例における隣接セルリストに追加すべきセルを識別するための方法を示す。図３は図４の説明と関連して参照すべきである。下記の表２には隣接セルリストからのセルを追加または除去するための所定の基準が示されている。
【００４１】
【表２】
2005522156.tif 000007
【００４２】
表２は、隣接セルリストを最適化する際に１つのセルの追加を認めるか、拒絶するかの基準を示す。これら値も単に説明のためのものであり、当業者であれば実際の値は異なってもよいことが理解できよう。表２における基準は潜在的隣接セルを追加するために最良候補カウントは全体の隣接セルリストに対する最良候補総カウントの５％を越えなければならないことを示している。このプロセスは、隣接セルリストに対する潜在的候補のための隣接セルをチェックするステップ４０２と共に始まる。プロセスはターゲット候補セルのプロファイルにヒステリシスを追加するステップ４０４に進む。先に述べたように、候補セルにヒステリシスの十分な値を追加することにより、実際のハンドオフを防止する。しかしながら、ハンドオフの試行も検出し、記録する。
【００４３】
次にプロセスは候補セル、すなわちセル３１０に対するＢｅｓｔＣａｎｄカウントを決定するためのＲＳＳＩデータをチェックするステップ４０６に進む。テーブル３１２は最良候補カウントの数が５０００であり、最良候補カウントの計がセル３０６と、３０８と、３１０との間のように、１８０００であることを示している。図３の説明に記載した式を利用すると、最良候補カウントのパーセントは５０００／１８０００×１００％＝２７.８％となる。次のプロセスはステップ４０８に進み、ここで候補セルの最良候補カウントが隣接セルリストにセルを追加するための予め定めた５％のスレッショルド値を越えているかどうかの判断をする。
【００４４】
予め定めたスレッショルド値を超えていると判断された（この説明ではスレッショルド値が２７.８％で超えられている）場合、プロセスはステップ４１２に進み、リストに候補セルを追加する。次にプロセスはステップ４０４に進み、別の潜在的隣接セルを処理する。ステップ４０８に戻り、最良候補カウントが予め定めた５％のスレッショルド未満であると判断された（すなわちセル３１０のＢｅｓｔＣａｎｄカウントは１０００であり、すなわち３.３％である）場合、プロセスはステップ４１０に進み、この時点で潜在的な隣接セルの追加を行う。次にプロセスはステップ４０２に戻り、隣接セルリストに含むことができる別のセルをチェックする。
【００４５】
本発明の好ましい実施例に従って隣接セルリストを最適化することは隣接セルリスト内のセルがハンドオフの問題の数を少なくし、ドロップされる通話の数を少なくし、ネットワーク内の通話の質を高めるセルとなることを保証するようにセルを自動的に追加したり、除去することによって行われる。要約すれば、これまで開示した方法およびシステムは隣接セルリストを最適にし、ネットワーク内の周波数割り当て計画をより良好にするものである。１つのセルを除くにはＲＳＳＩ（最良候補）およびＭＡＨＯの試行のカウントと所定のスレッショルド値とを相関化しなければならない。スレッショルド値を超えた場合、セルは隣接セルリスト内にそのセルが留まる。セルがスレッショルド値を超えない場合、セルは除去の検討の対象となる。
【００４６】
最初に隣接セルリスト内に潜在的隣接セルを含ませることにより、１つのセルを追加してもよい。セルプロファイルにヒステリシス値を追加し、セルへのハンドオフを防止し、そのセルを移動局が利用できないようにする。あたかもセルを利用できるかのように、最良候補およびＭＡＨＯ試行カウントを決定する。セルが予め決定したスレッショルド値を超えた場合、追加ヒステリシスを除き、隣接セルリストに加える。セルがスレッショルド値を満たさない場合、隣接セルリストにセルを追加しない。隣接セルリストからのセルの除去および隣接セルリストへのセルの追加の双方において、このプロセスを自動的に繰り返す。
【００４７】
本発明の作動および構造はこれまでの説明から明らかになったものと考える。ここに図示し、説明した方法は、好ましいものとして特徴づけられているが、特許請求の範囲に記載した発明の範囲から逸脱することなく、種々の変形および変更を行うことは容易に明らかとなろう。
【図面の簡単な説明】
【００４８】
【図１】本発明の好ましい実施例に従って、隣接セルを隣接セルリストから除くために検討するネットワークのハイレベル図を示す。
【図２】本発明の好ましい実施例に従って、隣接セルリストからの除去または制限すべきセルを識別するための方法を示す。
【図３】本発明の好ましい実施例に係わる、隣接セルリストに追加するために隣接セルを検討するネットワークのハイレベル図である。
【図４】本発明の好ましい実施例における、隣接セルリストに追加すべきセルを識別するための方法を示す。
【図１】
2005522156.tif 000008
【図２】
2005522156.tif 000009
【図３】
2005522156.tif 000010
【図４】
2005522156.tif 000011
【手続補正書】
【提出日】平成16年3月4日(2004.3.4)
【手続補正１】
【補正対象書類名】明細書
【補正対象項目名】０００７
【補正方法】変更
【補正の内容】
【０００７】
国際特許出願第W0-A-97/32445号(発明の名称:適応型隣接セルリスト)には隣接セルリストのプランを策定する1つの方法が開示されている。ハンドオフの質を示す事象に関係するデータを収集し、各セルに関係する最高の質の値を決定し、隣接セルリスト内に最高の質の値を有する隣接セルのハンドオフ測定チャンネルを決定することにより選択されたセルに対する隣接セルリストを発生し、当業者に周知のセル−隣接セル（ＣＥＬＬ−ＮＣＥＬＬ）のペアの間で生じるハンドオフの回数を計算するのにペグカウンタを使用する。ネットワークプランナーはこの情報を利用し、システムの変更または追加を判断する。多くのシステムでは、かかるペグ（ｐｅｇ）カウンタはメモリに集中するので、かかるペグカウンタのための設備は存在していない。例えば５００のセルを有するシステムでは４０００のＣＥＬＬ−ＮＣＥＬＬの隣接セルの関係が存在する可能性があり、各関係に対し１つのペグカウンタを設けることは、カウンタごとにメモリを有する４０００個のペグカウンタが必要となることを意味する。ペグカウンタ方法の別の欠点は、新しい隣接セルが生じる可能性を識別するのにこのペグカウンタ方法を使用できないということである。
【手続補正２】
【補正対象書類名】明細書
【補正対象項目名】００４７
【補正方法】削除
【補正の内容】
【手続補正３】
【補正対象書類名】特許請求の範囲
【補正対象項目名】全文
【補正方法】変更
【補正の内容】
【特許請求の範囲】
【請求項１】
隣接セルリストにセルを追加するための方法において、
潜在的な隣接セル（ＰＮＣ）（３１０）を選択する工程と、
前記ＰＮＣ（３１０）を前記隣接セルリストに追加する工程と、
前記ＰＮＣ（３１０）へのハンドオフを防止する工程と、
前記ＰＮＣ（３１０）が最良候補と見なされた回数および前記ＰＮＣでの移動アシストされたハンドオフの試行の回数をカウントする工程と、
前記最良候補カウントおよび移動アシストされたハンドオフの試行のカウントが予め定められた組のスレッショルド値に一致またはそれを越える場合、前記ＰＮＣを前記隣接セルリストに追加する工程とを備えた方法。
【請求項２】
前記ＰＮＣ（３１０）へのハンドオフを防止する前記工程が、
前記ＰＮＣ（３１０）へヒステリシス値を適用し、前記ＰＮＣ（３１０）への移動局のハンドオフを防止する工程を含む、請求項１記載の方法。
【請求項３】
前記カウントデータと予め決定されたスレッショルド値とを相関化する工程と、
前記最良候補カウントおよび移動アシストされたハンドオフの試行のデータがスレッショルド値の所定の組を超えた場合に、前記ＰＮＣ（３１０）への移動局のハンドオフを認めるレベルへ前記ヒステリシス値を調節する工程とを更に備えた、請求項１記載の方法。
【請求項４】
前記基地局に関連した運用サポートシステム（ＯＳＳ）と、
前記カウントデータが移動アシストされたハンドオフ（ＭＡＨＯ）カウントおよび最良候補カウントを含む前記セルに関連した、カウントデータを記憶するための前記ＯＳＳに関連したデータベースと、
前記カウントデータを受信するための受信機と、
通信システム内の前記セルの１つが関連するサービスセル（３０４）と隣接セル（３０８）との間のハンドオフのための最良候補とされた回数を決定するための第１カウンタと、
サービスセル（３０４）と隣接セル（３０８）との間の移動アシストされたハンドオフの試行の回数を決定するための第２カウンタと、
前記カウントデータが前記予め定められたスレッショルド値と相関化していない場合に、前記サービスセル（３０４）の隣接セルリストから前記セルのうちの前記１つを除くこと、および前記カウントデータが前記予め定められたスレッショルド値に一致するか、またはこれを超えた場合に、前記隣接セルリストに潜在的隣接セル（ＰＮＣ）（３１０）を追加することのいずれかのための、前記ＯＳＳ内の命令とを備えた、無線通信システムにおける基地局。
【請求項５】
前記ＯＳＳが第１の潜在的隣接セル（ＰＮＣ）（３１０）を選択できる、請求項４記載の基地局。
【請求項６】
前記ＯＳＳが、前記ＰＮＣへのＭＳのハンドオフを防止するヒステリシス値を前記ＰＮＣに適用できる、請求項４記載の基地局。
【請求項７】
前記データベースが移動交換センター（ＭＳＣ）と通信可能に結合されており、前記ＭＳＣが前記データベース内の前記カウントデータを処理し、これを記憶できる、請求項４記載の基地局。
【請求項８】
予め決定された時間に従い、前記データベース内に前記カウントデータを累積する、請求項４記載の基地局。
【請求項９】
前記ＯＳＳが前記カウントデータと前記予め決定したスレッショルド値を相関化できる、請求項４記載の基地局。
【請求項１０】
前記ＯＳＳが更に前記隣接セルリストに加えるための、連続するＰＮＣを選択できる、請求項４記載の基地局。
【請求項１１】
移動局（３０２）から受信されるデータを測定する工程と、
前記データを記憶し、処理する工程と、
前記隣接セルリストからセルを追加し、除去する工程とを備え、前記セルを前記隣接セルリストから除去する工程が、
ａ）サービスセル（３０４）とペアとなるような隣接セルを選択する工程と、
ｂ）前記隣接セルが前記サービスセル（３０４）と前記隣接セルとの間のハンドオフのための最良候補となった回数をカウントする工程と、
ｃ）前記サービスセルと前記隣接セルとの間の移動アシストされたハンドオフ（ＭＡＨＯ）試行の回数をカウントする工程と、
ｄ）前記最良候補カウントおよび前記ＭＡＨＯの試行のカウントデータを分析する工程と、
ｅ）前記カウントデータが予め定められたスレッショルド値に一致しないか、またはこれを超えない場合に、前記隣接セルリストから前記隣接セルを除去する工程とを備え、
前記隣接セルリストに潜在的な隣接セル（ＰＮＣ）（３１０）を追加する工程が、
ａ１）前記隣接セルリストに対する潜在的隣接セル（ＰＮＣ）（３１０）を選択する工程と、
ｂ１）前記ＰＮＣ（３１０）への移動局のハンドオフの可能性を防止するヒステリシス値を、前記ＰＮＣ（３１０）へ適用する工程と、
ｃ１）前記ＰＮＣ（３１０）を前記隣接セルリストに追加する工程と、
ｄ１）前記ＰＮＣ（３１０）における移動アシストされたハンドオフの試行の回数をカウントする工程と、
ｅ１）前記ＰＮＣ（３１０）がハンドオフのための最良候補とされた回数をカウントする工程と、
ｆ１）前記最良工程カウントおよび前記移動アシストされたハンドオフの試行のカウントデータを分析する工程と、
ｇ１）前記最良候補カウントデータおよび前記移動アシストされたハンドオフの試行がスレッショルド値の所定の組に一致するか、またはこれを超えた場合に、前記ＰＮＣ（３１０）への移動局のハンドオフを認めるレベルへ前記ヒステリシス値を調節する工程とを備えた、セルラー通信ネットワークにおける隣接セルリストを変更するための方法。
【請求項１２】
プリセットされた時間に従い、データベース内に前記最良候補カウントデータを累積する工程を更に備えた、請求項１１記載の方法。
【請求項１３】
プリセットされた時間に従い、データベース内に前記ＭＡＨＯの試行のカウントデータを累積する工程を更に備えた、請求項１２記載の方法。
【請求項１４】
前記最良候補カウントデータおよび前記ＭＡＨＯの試行のカウントデータを分析する工程が、前記カウントデータと予め決定されたスレッショルド値とを比較することを更に含む、請求項１１記載の方法。
【請求項１５】
除去のために前記隣接セルリスト内の別のセルを選択する工程を更に備え、工程ａ）〜ｆ）を繰り返す、請求項１１記載の方法。
【請求項１６】
前記隣接セルリストに別のＰＮＣを追加するために、工程ａ１）〜ｇ１）を繰り返すことを更に含む、請求項１５記載の方法。
【請求項１７】
前記隣接セルが前記セルと隣接セルとの間のハンドオフのための最良候補であるとされた回数をカウントする前記工程を、元の基地局および移動局（３０２）の１つによって実行する、請求項１１記載の方法。
【請求項１８】
前記最良候補カウントデータおよび前記移動アシストされたハンドオフの試行が、スレッショルド値の予め定められた組を超えない場合に、前記ＰＮＣ（３１０）への移動局のハンドオフを防止するための前記ヒステリシス値を維持する工程を更に含む、請求項１１記載の方法。
【国際調査報告】
2005522156.tif 000012
2005522156.tif 000013